(57)【要約】  光記録担体を光学ドライブにローディングする方法が、開示されている。当該方法は、光学ドライブが光記録担体へと記録を開始する又は読み取りを開始するために必要とする手順を含んだ一組の初期スタートアップ手順のサブセットを、後続するスタートアップに対して使用するステップを含んでいる。当該方法は、CD、DVD、HD-DVD、及びBDレコーダ及び/又はプレーヤに有用である。本方法は、ディスクのスタートアップ時間を減じ、ユーザの満足感のインデックスを強化する。
2010527093.tif 000002
【特許請求の範囲】
【請求項１】
光学ドライブが光記録担体への記録を開始する又は読み取りを開始するために必要とする手順を含む一組の初期スタートアップ手順のサブセットを、後続するスタートアップに対して使用するステップを含む、光記録担体を光学ドライブにローディングする方法。
【請求項２】
前記一組の初期スタートアップ手順のサブセットに関連する情報の少なくとも一部を集めるステップと、
後続するスタートアップの際、一回の読み取りアクセスのために、前記光記録担体上の単一の場所に、前記集められた情報を記憶するステップと、を更に含む、請求項１に記載の方法。
【請求項３】
前記一組の初期スタートアップ手順のサブセットは、
−  前記光記録担体を認識するステップと、
−  傾きのオフセット及びフォーカスオフセットを校正するステップと、
−  プリグルーブの中にあるアドレス及びランドプリピットの中にあるアドレスのうちの少なくとも一つを、前記光記録担体から読み取るステップと、
−  目次及び物理的な状態のうちの少なくとも一つを、前記光記録担体から読み取るステップと、
−  前記光記録担体上にあるユーザデータ・エリアを探索するステップと、
から選択された前記初期スタートアップ手順のうちの少なくとも二つを有する、請求項２に記載の方法。
【請求項４】
光記録担体への記録を開始する又は読み取りを開始するために必要とする手順を含む一組の初期スタートアップ手順のサブセットを、後続するスタートアップに対して使用するコントロールユニットを有する、光学ドライブ。
【請求項５】
前記コントロールユニットは更に、
−  前記一組の初期スタートアップ手順のサブセットに関連した情報の、少なくとも一部を集め、後続するスタートアップの際、一回の読み取りアクセスのために、前記光記録担体上の単一の場所に前記集められた情報を記憶する、請求項４に記載の光学ドライブ。
【請求項６】
前記コントロールユニットは更に、
−  光記録担体を認識するステップと、
−  傾きのオフセット、及びフォーカスオフセットを校正するステップと、
−  プリグルーブの中にあるアドレス及びランドプリピットの中にあるアドレスのうちの少なくとも一つを、前記光記録担体から読み取るステップと、
−  目次及び物理的な状態のうちの少なくとも一つを、前記光記録担体からの読み取るステップと、
−  前記光記録担体上にあるユーザデータ・エリアを探索するステップと、から選択された前記初期スタートアップ手順のうちの少なくとも二つを含む、前記一組の初期スタートアップ手順のサブセットを使用する、請求項５に記載の光学ドライブ。
【請求項７】
請求項4乃至6の何れか一項に記載の光学ドライブを有する、光ディスクレコーダ又は光ディスクプレーヤ。
【請求項８】
方法を実行するためのプログラムコード手段を有するコンピュータプログラムであって、当該方法は、
−    光学ドライブが光記録担体への記録を開始する又は読み取りを開始するために必要とする手順を有する一組の初期スタートアップ手順のサブセットを、後続するスタートアップに対して使用するステップを含む、コンピュータプログラム。
【発明の詳細な説明】
【技術分野】
【０００１】
本発明は、光学ドライブに関し、より具体的には、光ディスクを光学ドライブに取りこむ（ローディングする）ために、光学ドライブによって費やされる時間を減じる方法に関する。
【発明の概要】
【発明が解決しようとする課題】
【０００２】
米国特許公開公報US 2005/0002308は、多層の光記録媒体上にデータを記録するためのレコーダを開示している。多層の光記録媒体のレコーダへのローディング（即ち、当該光記録媒体が記録できるよう始動すること）には、通常平均して約12秒を費やし、約15秒乃至20秒の間で変動することがある。これは、エンドユーザにとっては全く面倒なことである。
【０００３】
記録担体をドライブにローディングするためにドライブによって費やされる時間を減じられる方法をもつことは、好都合であろう。記録担体をドライブにローディングするために費やされる時間を減じることができるドライブをもつことも、好都合であろう。
【課題を解決するための手段】
【０００４】
光記録担体を光学ドライブにローディングする方法が、開示される。当該方法は、後続するスタートアップのために、一組の初期スタートアップ手順のサブセットを使用するステップを含む。当該一組の初期スタートアップ手順は、光学ドライブが光記録担体に記録する、又は光記録担体を読みとるために必要とする手順を含む。
【０００５】
後続するスタートアップのために、光学ドライブが光記録担体に記録する又は光記録担体を読み取るために必要とする手順を含む一組の初期スタートアップ手順のサブセットを使用するよう構成されたコントロールユニットを有する光学ドライブが開示される。
【０００６】
更にまた、光記録担体を光学ドライブにローディングする方法は、コンピュータプログラムを用いて行うことができよう。
【０００７】
上述の態様、特徴、及び長所は、添付の図面を参照して、例示的態様のみにて、更に説明されることであろう。 ここで、同じ引用番号は、同一の部品又は類似の部品を示す。
【図面の簡単な説明】
【０００８】
【図１】光記録担体からのデータの記録／読み取りのために使用される、本発明による例示的な光学ドライブを概観的に示す。
【発明を実施するための形態】
【０００９】
光記録担体、例えばDVDは、連続螺旋の形か又は複数の同心円の形かの何れかで、少なくとも一つのトラックを有し、情報は、データパターンの形で記憶される。当該光記録担体は、追記可能なタイプ（R）又は書き換え可能なタイプ（RW）でもよく、情報は、（単層及び多層の）DVD＋RW、DVD-RW、DVD＋R、HD-DVD、及びBD-REなどに記憶又は記録されることができる。情報は、概してレーザ光線などの照射ビームを用いて記録/再生される。
【００１０】
ここで図1を参照すると、光記録担体10は、スピンドル・モーター12によって、一定の角速度（CAV）で制御されるか、又は一定の線速度（CLV）で制御される。
【００１１】
光ピックアップユニット14は、レーザ・ダイオードから（記録パワー値で）発されたレーザ光を用いて、光記録担体10にデータを記録する。データが記録されねばならないとき、データは符号化ユニット18に供給され、当該符号化ユニット18によって符号化されたデータが、レーザ・ダイオード駆動ユニット16に供給される。当該レーザ・ダイオード駆動ユニット16は、符号化されたデータに基づいて駆動信号を生成し、当該駆動信号を光ピックアップユニット14のレーザ・ダイオードに供給する。これに加え、記録ストラテジと記録パワーとが制御信号によって決定されるよう、コントロールユニット24からの制御信号がレーザ・ダイオード駆動ユニット16に供給される。
【００１２】
しかしながら、データが光記録担体10から読み取られるときは、光ピックアップユニット14のレーザ・ダイオードは、読み取りパワー（読み取りパワー ＜ 記録パワー）をもつレーザ光を発し、反射された光が受信される。受信された反射光は電気信号に変換され、読み取りRF信号が得られる。当該読み取りRF信号は、RF信号処理ユニット20に供給される。
【００１３】
当該RF信号処理ユニット20は、イコライザ、二値化ユニット、フェーズロックドループ（PLL）ユニットを有し、読み取られたRF信号を二値化して同期クロックを生成し、これらの信号をデコーダユニット22へ出力する。当該デコーダユニット22は、これらの供給された信号に基づいてデータを復号化し、読み取りデータとして復号データを出力する。
【００１４】
光学ドライブ100は、トラッキングエラー信号又はフォーカスエラー信号をそれぞれ生成することによって、フォーカス・サーボ又はトラッキング・サーボを制御するための（データ読み出しのための）回路と、光記録担体10上に形成された（例えばアドレス復調用の、又は回転数の制御用の）ウォブル信号と、を含む。サーボ制御の構成は、従来のドライブシステムのそれと同一であり、これ故、詳細に説明されることはない。
【００１５】
図1に示されている構成は、光学ドライブの通常動作に関連した部分を例示しているに過ぎない。光ピックアップユニット、スピンドル・モーター、スライド・モーター、及び制御回路を制御するためのサーボ回路の説明及び詳細な解説は、これらは従来の光学ドライブと同様の態様で構成されているので、省略される。
【００１６】
（光学ドライブ100が再生、又は更なる記録を可能にする前に）光記録担体10（図1参照）の光学ドライブ100（図1参照）へのローディングは、表1に記載されたステップの実行を必要とする。これらのステップの実行は、（ホストがファイルシステムを読み込むためにかかる時間を除き）通常平均約12秒を費やし、約15秒乃至20秒までの間で変動する。これは、エンドユーザにとって全く面倒なことである。努力が、光記録担体をローディングする時間を減じるために成されたが、しかしこれまで、スタートアップ時間減少の達成は（大体約1秒又は2秒と）限定されている。
【表１】
2010527093.tif 000003
【００１７】
上の表によって、光記録担体を光学ドライブにローディングする方法が、開示されている。当該方法は、後続するスタートアップのために、光学ドライブが光記録担体を記録する又は読み取ることを開始するために必要とする手順を含んでいる一組の初期スタートアップ手順のサブセットを使用するステップを含んでいる。
【００１８】
ここでの着想は、特定の光記録担体の情報を学習し、光記録担体の初期スタートアップ手順のサブセットを形成することである。光記録担体の初期スタートアップ手順のサブセットは、光記録担体をローディングする通常のステップの一部を、賢く迂回するために用いられる。これ故、後続する、光記録担体を光学ドライブにローディングするために費やされる時間が、減じられる。例えば、光記録担体の総合的な識別の際に実施される、光記録担体の読み取り性を改善するための、フォーカスオフセットの校正及び傾きのオフセットの校正は、容易に約1.8秒乃至2.0秒を費やすことがある。この校正ステップが省略されることができるならば、光記録担体のスタートアップ時間は減じられることができる。
【００１９】
当該方法の実施例では、本方法は、一組の初期スタートアップ手順のサブセットに関連した、少なくとも一部の情報を集めるステップと、後続するスタートアップの際、一回の読み取りアクセスのために、光記録担体上の単一の場所に、集められた情報を記憶するステップと、を含む。集められた情報（即ち、迅速なローディングのための情報）を単一の場所に記憶することは、光学ドライブ100が一回の読み取りアクセスにて、すべての必要情報にアクセスすることを可能にし、これによって、光記録担体10の、より迅速なローディングを実施する。光記録担体のスタートアップのための必要情報が、一回の読込み操作でアクセスされ、読み取られるので、複数のアクセス動作及び読込み動作が減じられ、結果としてスタートアップ時間を減じる。一組の初期スタートアップ手順のサブセットに関連した情報が光記録担体上で入手できない場合、当該光記録担体は、当該光学ドライブに初めてローディングされたことを意味する。斯様な場合、当該光学ドライブは、光学ドライブによって費やされる、後続して光記録担体を光学ドライブにローディングするための時間を減じるために使用されることができる一組の初期スタートアップ手順のサブセットに関連する情報を生成することであろう。
【００２０】
当該方法の尚更なる実施例においては、一組の初期スタートアップ手順のサブセットは、
−    光記録担体を識別するステップと、
−    傾きのオフセットの校正、及びフォーカスオフセットの校正を行うステップと
−    光記録担体からの、プリグルーブにあるアドレス及びランドプリピットにあるアドレスのうちの少なくとも一つを読み取るステップと、
−    光記録担体からの、目次及び物理状態のうちの少なくとも一つを読み取るステップと、
−    光記録担体上にあるユーザデータ・エリアを探索するステップと、から選択された初期スタートアップ手順のうちの少なくとも二つを有する。
【００２１】
光記録担体の読み取り性能を改善するための、（光記録担体の通常の識別の際に実施される）フォーカスオフセットの校正及び傾きのオフセットの校正は、通常、約1.8秒乃至2.0秒を費やす。この校正ステップがスキップされる（又は、省略される）ことができる場合、光記録担体のスタートアップ時間が減じられることができる。更にまた、光記録担体が、予め校正された傾きのオフセット及び／又は予め校正されたフォーカスオフセットを使用して読み取られることができない場合、光学ドライブは通常の校正を実行するよう復帰することができる。これは、光記録担体が大きな傾きをもつときに、必要とされるに過ぎない。
【００２２】
更に、光記録担体上に最後に記録された目次のスタートアドレスは、スタートアップの際に、複数の読取りを実行することなく、ユニークな光記録担体識別子に基づいてアクセスされることができる。一旦、一組の初期スタートアップ手順のサブセットが生成されると、光学ドライブは、サーボを最適性能に構成するよう、予め校正された傾きオフセット値及び／又は予め校正されたフォーカスオフセット値を使用することができる。次に、当該光学ドライブは、最後に記録された目次のアドレス、及びユーザエリアに最後に記録されたアドレスを参照するために、ユニークな光記録担体識別子を使用することができる。このアドレス情報があると、光学ドライブは、最後に記録された、（基本的な光記録担体の構造に対する）目次を直接読み込むことができ、これにより、残りのローディングステップを省略する。これは、光記録担体の全体のスタートアップ時間を減じることができる。
【００２３】
更にまた、ユーザデータ・エリアを探索することが、スタートアップの際に、光記録担体のインテグリティ（完全性の）チェックのみを実行することで、スキップされることができる。不揮発性メモリに記憶された、ここではeeLRAと呼ばれる、最後に記録されたユーザエリアのアドレスが、記録の完全性をチェックするために使用されることができる。記録が開始されると、eeLRAはゼロにクリアされることができる。記録が停止されると、eeLRAは実際の最後に記録されたアドレスに更新されることができる。記録が、電源の異常又はシステムのハングアップに起因して中断された場合、光学ドライブはeeLRA値がゼロであることを見いだすであろう。これは、ユーザエリアの次に書き込み可能なアドレスの探索を実行するために、直ちに光学ドライブにフラグを立てる。このチェックが行われると、光学ドライブは、殆どの状況で、光記録担体のローディング時間を減じるのを助ける、不必要なアドレス探索を実行する必要がない。
【００２４】
更にまた、光記録担体上に最後に記録された目次のアドレスは、新規の記録が完了すると更新されることができる。追記型の光記録担体のレイアウト構造の変更があると、光学ドライブは、追記型の光学記録担体に対して、目次の新しい記載事項を更新することができる。この新規な目次の記載事項がある場所は、光学ドライブの不揮発性メモリ内に保たれることが可能である。同じ光記録担体がローディングされると、光学ドライブは、光記録担体を探索する必要もなく、最新の目次入力の記載場所を取り出すために、ユニークな光記録担体識別子を使用することができる。
【００２５】
更にまた、最後に記録された目次の終了地点のアドレスは、当該光記録担体を扱う光学ドライブのメモリに記憶されることができる。記憶された、最後に記録された目次の終了地点のアドレスは、当該光記録担体を当該光学ドライブにローディングすると、使われることができる。更にまた、一組の初期スタートアップ手順（即ち、迅速なローディングのための情報）のサブセットが見いだされない場合、光学ドライブは、目次が規定されているアドレスから目次を読み取ることができる。代替的には、DVD-Rディスクの場合、光学ドライブはコントロールデータ・ゾーンを読み取ることができる。
【００２６】
未使用の光記録担体、又は「迅速なローディング情報」を含まない光記録担体に対する例示的な例として、ローディング・シーケンスの違いが表2に示されている。
【表２】
2010527093.tif 000004
【００２７】
最初に、ステップ2及びステップ3がスキップされる。しかしながら、ディスクから「迅速なローディング情報」を読み取るステップは、失敗することが起こりえる。これは、光学ドライブに、本来のディスクのローディング・シーケンスを行う前に、（ステップ2及びステップ3と同じ）ステップ5及びステップ6を実施することを強いることができる。一旦ディスクがローディングされ、記録が開始されると、光学ドライブは、「迅速なローディング情報」をディスク（リードインの具体的な場所）に記憶するのに十分な情報をもつことであろう。これは将来、光学ドライブが、同じディスクのより迅速なローディングを実施するのを可能にすることができる。
【００２８】
例示的な例として、表3は、開示された方法の（即ち、迅速なローディングのための情報を有する）一実施例によるDVDのローディングを示す。「迅速なローディング情報」が利用できるとき、本来のローディングステップの特定のステップは、DVDをローディングする時間を改善するためにスキップされる。
【表３】
2010527093.tif 000005
【００２９】
ここで表3を参照すると、通常のディスク認識ステップが完了したあと、光学ドライブは「迅速なローディング情報」を読み取ることができる。この情報があると、光学ドライブは、傾きのオフセット及びフォーカスオフセットに対するそのサーボ設定を、「迅速なローディング情報」で見いだされた最適値で、直ちに更新することが可能であろう。光学ドライブが「迅速なローディング情報」ブロックから、プリグルーブ情報/ランドプリピット情報にあるアドレスと、コントロールデータ・ゾーン情報のコピーとを既にもっているので、ステップ3及びステップ6はスキップされる。
【００３０】
加えて、「迅速なローディング情報」は、ユニークなディスク識別子を含む。このユニークなディスク識別子は、追記型のディスクのみに対して、本来のローディング・シーケンスにおけるステップ4及びステップ7をスキップするために用いられる。ステップ4及びステップ7は、書き換え型のディスクに対しては実施されないので、この部分の改善が、書き換え型のディスクに及ぶことはない。
【００３１】
追記型のディスクに対しては、ステップ4及びステップ7はスキップされる。この理由は、光学ドライブが、ここでは引用鍵としてユニークなディスク識別子を用い、最後に記録された目次記載事項のアドレスと、最後に記録されたユーザデータ・エリアのアドレスとを記憶するために、不揮発性メモリを使用することが可能だからである。ユニークなディスク識別子がないと、光学ドライブの不揮発性メモリに記憶された値は、具体的なディスクに正確に適用されることができない。
【００３２】
追記型の光記録担体のレイアウト構造の変更がある場合、光学ドライブは、目次の新しい記載事項を、追記型の光記録担体に対して更新する。目次の、この更新された記載事項がある場所は、光学ドライブの不揮発性メモリ内に保持されることであろう。同じ光記録担体がローディングされると、光学ドライブは、最新の目次記載事項の場所を取り出すために、光記録担体を探索する必要もなく、ユニークなディスク識別子を使用する（「迅速なローディング情報」から読み取る）ことであろう。
【００３３】
最新の目次記載事項の場所を記憶することに加えて、光学ドライブは、自身の不揮発性メモリ内に、最後に記録されたユーザデータ・エリアのアドレスも記憶することであろう。同じ光記録担体がローディングされると、光学ドライブは、自身の不揮発性メモリから最後に記録されたアドレスを取り出すために、ユニークなディスク識別子を使用することであろう。これは、光学ドライブがステップ7をスキップするのを可能にすることであろう。更にまた、ディスク上のデータの完全性の迅速なチェックを供するために、以下の方法が、用いられることができる。記録が始まると、不揮発性メモリ内にある最後に記録されたアドレスは、記録が始まったことを示すために、ゼロへと消去される。記録が停止されると、実際の最後に記録されたアドレスが、光学ドライブの揮発性メモリに記憶される。記録は始まったが、完了されなかった（即ち、記録は、電源の異常又はシステム・ハングアップのため中断された）場合、光学ドライブは、不揮発性メモリ内に最後の記録されたアドレス値がゼロであることを見いだすことであろう。ゼロ値を見ることによって、光学ドライブは、この記録が正常に完了しなかったことを知るであろうし、目次に含まれている情報が更新されたものではないことを知るであろう。最新のディスクレイアウト構造を反映するために、光学ドライブは、ユーザデータ・エリアにある次の書き込み可能なアドレスの探索を実行することを必要とするであろう。このデータエリアの完全性のチェックが行われると、光学ドライブは、記録が正常に完了された殆どの状況に対して、データエリアの探索ステップをスキップすることが可能であろう。
【００３４】
ここで図1を参照すると、光学ドライブ100は、実施例で開示したように、光記録担体のスタートアップ時間を減じるよう適応されることができる。この目的のために、光学ドライブ100は、当該光学ドライブが光記録担体への記録を開始する又は読み取りを開始するために必要とする手順を有する、一組の初期スタートアップ手順（即ち、迅速なローディングのための情報）のサブセットを、後続するスタートアップに対して使用するよう構成されているコントロールユニット24Aを含む。動作時には、光学ドライブは、光記録担体を光学ドライブにローディングするために費やす時間を減じる。
【００３５】
光学ドライブを有するレコーダ又はプレーヤ（例えばDVDレコーダ及び/又はDVDプレーヤ、CDレコーダ及び/又はCDプレーヤ、BDレコーダ及び/又はBDプレーヤ、又は、HD-DVDレコーダ及び/又はHD-DVDプレーヤ）は、光記録担体を光学ドライブにローディングするために（即ち、記録／読み取りの準備を整えるために）光学ドライブによって費やされる時間を減じることができる。良好なスタートアップは、ユーザの観点からは、光ディスクプレーヤ／レコーダの重要な性能の指標である。これ故、（よりゆっくりした光記録担体のローディング時間と比較して）光記録担体のローディングが迅速なときには、ユーザは、レコーダ又はプレーヤに対して、より高い満足感のインデックスをもつことであろう。
【００３６】
本発明が、DVDディスク及びDVDドライブなどの、ディスクの例及びドライブの例を用いた実施例によって説明されたにもかかわらず、本発明は、全てのタイプの記録担体及びドライブに適用できる。当業者は、説明された本発明の実施例を、ソフトウェアにて、又はハードウェア及びソフトウェアの両方にて、実施することができる。図、開示物、及び添付の請求項の学習から、開示された実施例に対する他のバリエーションが、請求された内容を実践する当業者によって理解されることができ、遂行されることができる。動詞「有する」及び、その活用形の使用は、請求項又は説明において明言された以外の要素の存在を除外することはない。要素又はステップに先行する不定冠詞「a」又は「an」の使用は、複数の斯様な要素又はステップの存在を除外することはない。図、及び説明は、例示のみと考えられるべきであって、本発明を限定することはない。
【図１】
2010527093.tif 000006
【国際調査報告】
2010527093.tif 000007
2010527093.tif 000008
2010527093.tif 000009